(57)【要約】【課題】  潜像時間の差に起因して画像の濃度差が生じるのを抑制する。【解決手段】  印画紙の先端部からの距離に基づいて、その領域に形成される画像と印画紙の先端部近傍にある領域に形成される画像との潜像時間の差を導出する。引き続き、潜像時間の差に基づいて、上記２つの領域に形成される画像の発色濃度の差を導出して、上記２つの領域に形成される画像間における発色濃度の補正値を導出する。そして、印画紙上の各領域の露光量が、画像データに含まれる各領域に対応する画素の画素レベルに基づく露光量から発色濃度の補正値だけ調整される。その後、印画紙上の各領域がそれぞれ導出された露光量にしたがって露光される。【選択図】図３
2005081692.tif 000002
【特許請求の範囲】
【請求項１】
第１の搬送速度により搬送される感光材料に対して露光処理を施す露光部と、
前記露光部により露光処理が施され且つ前記第１の搬送速度とは異なる第２の搬送速度により搬送される感光材料に対して現像処理を施す現像部と、
感光材料上にある第１領域に所定の画素レベルにしたがって露光される画像と前記感光材料上にある前記第１領域とは異なる第２領域に前記所定の画素レベルにしたがって露光される画像との潜像時間の差に起因して生じる画像の濃度差が小さくなるように、前記露光部における感光材料の前記第２領域の露光量を制御する制御部とを備えていることを特徴とする画像形成装置。
【請求項２】
前記制御部が、前記感光材料の前記第１領域と前記感光材料の前記第２領域との間の距離と、前記感光材料の前記第１領域に前記所定の画素レベルにしたがって露光される画像と前記感光材料の前記第２領域に前記所定の画素レベルにしたがって露光される画像との濃度差を小さくするための画像の濃度についての補正値との関係を示す補正テーブルを備えていることを特徴とする請求項１に記載の画像形成装置。
【請求項３】
第１の搬送速度により搬送される感光材料に対して露光処理を施す露光部と、
前記露光部により露光処理が施され且つ前記第１の搬送速度とは異なる第２の搬送速度により搬送される感光材料に対して現像処理を施す現像部と、
感光材料上にある第１領域に所定の画素レベルにしたがって露光される画像と前記感光材料上にある前記第１領域とは異なる第２領域に前記所定の画素レベルにしたがって露光される画像との潜像時間の差に起因して生じる画像の濃度差がなくなるように、前記露光部における感光材料の前記第２領域の露光量を制御する制御部とを備えていることを特徴とする画像形成装置。
【請求項４】
第１の搬送速度により搬送される感光材料に対して露光処理を施す露光部と、
前記露光部により露光処理が施され且つ前記第１の搬送速度とは異なる第２の搬送速度により搬送される感光材料に対して現像処理を施す現像部と、
第１の感光材料上にある第１領域に所定の画素レベルにしたがって露光される画像と前記第１の感光材料上にある前記第１領域とは異なる第２領域に前記所定の画素レベルにしたがって露光される画像との潜像時間の差に起因して生じる画像の濃度差が小さくなるように、前記露光部における前記第１の感光材料の前記第２領域の露光量を制御する第１制御部と、
前記第１の感光材料の前記第１領域に所定の画素レベルにしたがって露光される画像と前記第１の感光材料とは異なる第２の感光材料上にある第３領域に前記所定の画素レベルにしたがって露光される画像との潜像時間の差に起因して生じる画像の濃度差が小さくなり、且つ、前記第２の感光材料の前記第３領域に前記所定の画素レベルにしたがって露光される画像と前記第２の感光材料上にある前記第３領域とは異なる第４領域に前記所定の画素レベルにしたがって露光される画像との潜像時間の差に起因して生じる画像の濃度差が小さくなるように、前記露光部における前記第２の感光材料の前記第４領域の露光量を制御する第２制御部とを備えていることを特徴とする画像形成装置。
【請求項５】
前記第１制御部が、前記第１の感光材料の前記第１領域と前記第１の感光材料の前記第２領域との間の距離と、前記第１の感光材料の前記第１領域に前記所定の画素レベルにしたがって露光される画像と前記第１の感光材料の前記第２領域に前記所定の画素レベルにしたがって露光される画像との濃度差を小さくするための画像の濃度についての補正値との関係を示す第１補正テーブルを備えており、
前記第２制御部が、前記第２の感光材料の前記第３領域と前記第２の感光材料の前記第４領域との間の距離と、前記第１の感光材料の前記第１領域に前記所定の画素レベルにしたがって露光される画像と前記第２の感光材料の前記第３領域に前記所定の画素レベルにしたがって露光される画像との濃度差を小さくし、且つ、前記第２の感光材料の前記第３領域に前記所定の画素レベルにしたがって露光される画像と前記第２の感光材料の前記第４領域に前記所定の画素レベルにしたがって露光される画像との濃度差を小さくするための画像の濃度についての補正値との関係を示す第２補正テーブルを備えていることを特徴とする請求項４に記載の画像形成装置。
【請求項６】
前記露光部と前記現像部との間に配置されており、前記露光部により露光処理が施された複数の感光材料を並列に配置した後で前記現像部に対して供給可能な振り分け部をさらに備えており、
前記第１の感光材料および前記第２の感光材料が、前記振り分け部から前記現像部に対してほぼ同時に供給される複数の感光材料のなかの２つの感光材料であることを特徴とする請求項４または５に記載の画像形成装置。
【請求項７】
第１の搬送速度により搬送される感光材料に対して露光処理を施す露光部と、
前記露光部により露光処理が施され且つ前記第１の搬送速度とは異なる第２の搬送速度により搬送される感光材料に対して現像処理を施す現像部と、
第１の感光材料上にある第１領域に所定の画素レベルにしたがって露光される画像と前記第１の感光材料上にある前記第１領域とは異なる第２領域に前記所定の画素レベルにしたがって露光される画像との潜像時間の差に起因して生じる画像の濃度差がなくなるように、前記露光部における前記第１の感光材料の前記第２領域の露光量を制御する第１制御部と、
前記第１の感光材料の前記第１領域に所定の画素レベルにしたがって露光される画像と前記第１の感光材料とは異なる第２の感光材料上にある第３領域に前記所定の画素レベルにしたがって露光される画像との潜像時間の差に起因して生じる画像の濃度差がなくなり、且つ、前記第２の感光材料の前記第３領域に前記所定の画素レベルにしたがって露光される画像と前記第２の感光材料上にある前記第３領域とは異なる第４領域に前記所定の画素レベルにしたがって露光される画像との潜像時間の差に起因して生じる画像の濃度差がなくなるように、前記露光部における前記第２の感光材料の前記第４領域の露光量を制御する第２制御部とを備えていることを特徴とする画像形成装置。
【請求項８】
第１の感光材料上にある第１領域に所定の画素レベルにしたがって露光される画像と前記第１の感光材料上にある前記第１領域とは異なる第２領域に前記所定の画素レベルにしたがって露光される画像との潜像時間の差を導出する第１の導出ステップと、
前記第１の導出ステップにより導出される潜像時間の差に起因して生じる画像の濃度差を導出する第２の導出ステップと、
前記第２の導出ステップにより導出される画像の濃度差を小さくするための画像の濃度についての補正値を導出する第３の導出ステップと、
前記第３の導出ステップにより導出される補正値に基づいて、前記露光部における感光材料の前記第２領域の露光量を制御する制御ステップとを備えていることを特徴とする画像形成方法。
【請求項９】
第１の感光材料上にある第１領域に所定の画素レベルにしたがって露光される画像と前記第１の感光材料上にある前記第１領域とは異なる第２領域に前記所定の画素レベルにしたがって露光される画像との潜像時間の差を導出する第１の導出ステップと、
前記第１の導出ステップにより導出される潜像時間の差に起因して生じる画像の濃度差を導出する第２の導出ステップと、
前記第２の導出ステップにより導出される画像の濃度差を小さくするための画像の濃度についての第１補正値を導出する第３の導出ステップと、
前記第３の導出ステップにより導出される第１補正値に基づいて、前記露光部における前記第１の感光材料の前記第２領域の露光量を制御する第１の制御ステップと、
前記第１の感光材料の前記第１領域に所定の画素レベルにしたがって露光される画像と前記第１の感光材料とは異なる第２の感光材料上にある第３領域に前記所定の画素レベルにしたがって露光される画像との潜像時間の差を導出する第４の導出ステップと、
前記第２の感光材料の前記第３領域に前記所定の画素レベルにしたがって露光される画像と前記第２の感光材料上にある前記第３領域とは異なる第４領域に前記所定の画素レベルにしたがって露光される画像との潜像時間の差を導出する第５の導出ステップと、
前記第４の導出ステップにより導出される潜像時間の差に起因して生じる画像の濃度差を導出する第６導出ステップと、
前記第５導出ステップにより導出される潜像時間の差に起因して生じる画像の濃度差を導出する第７の導出ステップと、
前記第６および前記第７の導出ステップによりそれぞれ導出される画像の濃度差の合計を小さくするための画像の濃度についての第２補正値を導出する第８の導出ステップと、
前記第８の導出ステップにより導出される第２補正値を利用して、前記露光部における前記第２の感光材料の前記第４領域の露光量を制御する第２の制御ステップとを備えていることを特徴とする画像形成方法。
【発明の詳細な説明】
【技術分野】
【０００１】
本発明は、露光処理が施された感光材料に対して現像処理を施すことにより画像が形成された写真プリントを作成する画像形成装置および画像形成方法に関する。
【背景技術】
【０００２】
感光材料である印画紙に対して、露光、現像、漂白定着、安定化などの処理を自動的に施すことが可能な写真処理装置が知られている。かかる写真処理装置では、露光部において、画像データに含まれる各画素の有する画素レベルにしたがって印画紙に対して露光処理が施される。そして、露光部において露光処理が施されることによって画像の潜像が形成された印画紙は、現像部へと供給された後で現像処理が施される。その結果、印画紙に形成された潜像が顕在化して、写真プリントが完成する（例えば、特許文献１参照）。
【０００３】
かかる写真処理装置では、現像部での処理速度は露光部での処理速度よりも遅いのが一般的である。従って、露光部内では比較的高速で搬送される印画紙に対して露光処理が施されるのに対して、現像部内では比較的低速で搬送される印画紙に対して現像処理が施される。そのため、かかる写真処理装置では、現像部内での印画紙の搬送速度が露光部内での印画紙の搬送速度よりも遅くなるように設定されている。
【０００４】
【特許文献１】特開２００３−０１９８２５号公報（第２−３頁、第１図）
【発明の開示】
【発明が解決しようとする課題】
【０００５】
このように、かかる写真処理装置において、上述のように露光処理時と現像処理時とで搬送速度が異なる場合には、印画紙上の送り方向先端部からの距離が異なる領域（各画素に対応する領域）にそれぞれ形成される画像の潜像時間（露光処理が施されてから現像処理が施されるまでの時間）が同じにならない。つまり、かかる写真処理装置では、印画紙の後端部近傍にある領域に形成される画像の潜像時間は、その先端部近傍にある領域に形成される画像の潜像時間よりも長くなる。従って、印画紙上の全領域が所定の画素レベルにしたがって露光された場合でも、先端部からの距離によって潜像時間が異なるので、印画紙上に形成される画像の濃度が同じにならないことがある。
【０００６】
このように、１枚の印画紙上の全ての領域にそれぞれ形成される画像について潜像時間がすべて同じであれば、潜像進行によって画像が悪化することはないが、印画紙上の先端部からの距離によって潜像時間が異なる場合には、潜像進行による画像の濃度差が生じて、印画紙上に形成される画像が悪化してしまう。特に、印画紙の長さが非常に長い場合には、印画紙上の先端部近傍の領域に形成される画像と後端部近傍の領域に形成される画像との潜像時間の差が著しく大きくなって、仕上がりプリントの画像の品質が著しく低下してしまう。
【０００７】
そこで、本発明の目的は、高画質の画像を得ることができる画像形成装置および画像形成方法を提供することである。
【課題を解決するための手段及び効果】
【０００８】
本発明の画像形成装置は、第１の搬送速度により搬送される感光材料に対して露光処理を施す露光部と、前記露光部により露光処理が施され且つ前記第１の搬送速度とは異なる第２の搬送速度により搬送される感光材料に対して現像処理を施す現像部と、感光材料上にある第１領域に所定の画素レベルにしたがって露光される画像と前記感光材料上にある前記第１領域とは異なる第２領域に前記所定の画素レベルにしたがって露光される画像との潜像時間の差に起因して生じる画像の濃度差が小さくなるように、前記露光部における感光材料の前記第２領域の露光量を制御する制御部とを備えている。
【０００９】
本発明の画像形成方法は、第１の感光材料上にある第１領域に所定の画素レベルにしたがって露光される画像と前記第１の感光材料上にある前記第１領域とは異なる第２領域に前記所定の画素レベルにしたがって露光される画像との潜像時間の差を導出する第１の導出ステップと、前記第１の導出ステップにより導出される潜像時間の差に起因して生じる画像の濃度差を導出する第２の導出ステップと、前記第２の導出ステップにより導出される画像の濃度差を小さくするための画像の濃度についての補正値を導出する第３の導出ステップと、前記第３の導出ステップにより導出される補正値に基づいて、前記露光部における感光材料の前記第２領域の露光量を制御する制御ステップとを備えている。
【００１０】
この構成によると、感光材料の第２領域の露光量が、感光材料の第１領域と第２領域との間で潜像時間の差に起因して生じる画像の濃度差が小さくなるように調整される。従って、感光材料の第２領域に形成される画像の濃度が、所定の画素レベルにしたがって露光された感光材料の第１領域に形成される画像の濃度に近くなる。その結果、１つの感光材料上に形成される画像において、潜像時間の差に起因して生じる画像の濃度差が小さくなるので、感光材料上に高画質の画像を形成することができる。
【００１１】
本発明においては、前記制御部が、前記感光材料の前記第１領域と前記感光材料の前記第２領域との間の距離と、前記感光材料の前記第１領域に前記所定の画素レベルにしたがって露光される画像と前記感光材料の前記第２領域に前記所定の画素レベルにしたがって露光される画像との濃度差を小さくするための画像の濃度についての補正値との関係を示す補正テーブルを備えていることが好ましい。
【００１２】
この構成によると、感光材料の第１領域と第２領域との間の距離と、感光材料の第１領域と第２領域との間で潜像時間の差に起因して生じる画像の濃度差を小さくするための画像の濃度についての補正値との関係を示す補正テーブルに基づいて、感光材料の第２領域の露光量が調整される。従って、感光材料の第２領域の露光量の調整を速やかに行うことができる。
【００１３】
本発明の画像形成装置は、第１の搬送速度により搬送される感光材料に対して露光処理を施す露光部と、前記露光部により露光処理が施され且つ前記第１の搬送速度とは異なる第２の搬送速度により搬送される感光材料に対して現像処理を施す現像部と、感光材料上にある第１領域に所定の画素レベルにしたがって露光される画像と前記感光材料上にある前記第１領域とは異なる第２領域に前記所定の画素レベルにしたがって露光される画像との潜像時間の差に起因して生じる画像の濃度差がなくなるように、前記露光部における感光材料の前記第２領域の露光量を制御する制御部とを備えている。
【００１４】
この構成によると、感光材料の第２領域の露光量が、感光材料の第１領域と第２領域との間で潜像時間の差に起因して生じる画像の濃度差がなくなるように調整される。従って、感光材料の第２領域に形成される画像の濃度が、所定の画素レベルにしたがって露光された感光材料の第１領域に形成される画像の濃度と同じになる。その結果、１つの感光材料上に形成される画像において、潜像時間の差に起因して生じる画像の濃度差がなくなるので、感光材料上にさらに高画質の画像を形成することができる。
【００１５】
本発明の画像形成装置は、第１の搬送速度により搬送される感光材料に対して露光処理を施す露光部と、前記露光部により露光処理が施され且つ前記第１の搬送速度とは異なる第２の搬送速度により搬送される感光材料に対して現像処理を施す現像部と、第１の感光材料上にある第１領域に所定の画素レベルにしたがって露光される画像と前記第１の感光材料上にある前記第１領域とは異なる第２領域に前記所定の画素レベルにしたがって露光される画像との潜像時間の差に起因して生じる画像の濃度差が小さくなるように、前記露光部における前記第１の感光材料の前記第２領域の露光量を制御する第１制御部と、前記第１の感光材料の前記第１領域に所定の画素レベルにしたがって露光される画像と前記第１の感光材料とは異なる第２の感光材料上にある第３領域に前記所定の画素レベルにしたがって露光される画像との潜像時間の差に起因して生じる画像の濃度差が小さくなり、且つ、前記第２の感光材料の前記第３領域に前記所定の画素レベルにしたがって露光される画像と前記第２の感光材料上にある前記第３領域とは異なる第４領域に前記所定の画素レベルにしたがって露光される画像との潜像時間の差に起因して生じる画像の濃度差が小さくなるように、前記露光部における前記第２の感光材料の前記第４領域の露光量を制御する第２制御部とを備えている。
【００１６】
本発明の画像形成方法は、第１の感光材料上にある第１領域に所定の画素レベルにしたがって露光される画像と前記第１の感光材料上にある前記第１領域とは異なる第２領域に前記所定の画素レベルにしたがって露光される画像との潜像時間の差を導出する第１の導出ステップと、前記第１の導出ステップにより導出される潜像時間の差に起因して生じる画像の濃度差を導出する第２の導出ステップと、前記第２の導出ステップにより導出される画像の濃度差を小さくするための画像の濃度についての第１補正値を導出する第３の導出ステップと、前記第３の導出ステップにより導出される第１補正値に基づいて、前記露光部における前記第１の感光材料の前記第２領域の露光量を制御する第１の制御ステップと、前記第１の感光材料の前記第１領域に所定の画素レベルにしたがって露光される画像と前記第１の感光材料とは異なる第２の感光材料上にある第３領域に前記所定の画素レベルにしたがって露光される画像との潜像時間の差を導出する第４の導出ステップと、前記第２の感光材料の前記第３領域に前記所定の画素レベルにしたがって露光される画像と前記第２の感光材料上にある前記第３領域とは異なる第４領域に前記所定の画素レベルにしたがって露光される画像との潜像時間の差を導出する第５の導出ステップと、前記第４の導出ステップにより導出される潜像時間の差に起因して生じる画像の濃度差を導出する第６導出ステップと、前記第５導出ステップにより導出される潜像時間の差に起因して生じる画像の濃度差を導出する第７の導出ステップと、前記第６および前記第７の導出ステップによりそれぞれ導出される画像の濃度差の合計を小さくするための画像の濃度についての第２補正値を導出する第８の導出ステップと、前記第８の導出ステップにより導出される第２補正値を利用して、前記露光部における前記第２の感光材料の前記第４領域の露光量を制御する第２の制御ステップとを備えている。
【００１７】
この構成によると、第１の感光材料の第２領域の露光量が、第１の感光材料の第１領域と第２領域との間で潜像時間の差に起因して生じる画像の濃度差が小さくなるように調整される。また、第２の感光材料の第４領域の露光量が、第１の感光材料の第１領域と第２の感光材料の第３領域との間で潜像時間の差に起因して生じる画像の濃度差が小さくなると共に、第２の感光材料の第３領域と第４領域との間で潜像時間の差に起因して生じる画像の濃度差が小さくなるように調整される。その結果、１つの感光材料上に形成される画像および複数の感光材料のそれぞれに形成される画像において、潜像時間の差に起因して生じる画像の濃度差が小さくなるので、複数の感光材料上に高画質の画像を形成することができる。
【００１８】
本発明においては、前記第１制御部が、前記第１の感光材料の前記第１領域と前記第１の感光材料の前記第２領域との間の距離と、前記第１の感光材料の前記第１領域に前記所定の画素レベルにしたがって露光される画像と前記第１の感光材料の前記第２領域に前記所定の画素レベルにしたがって露光される画像との濃度差を小さくするための画像の濃度についての補正値との関係を示す第１補正テーブルを備えており、前記第２制御部が、前記第２の感光材料の前記第３領域と前記第２の感光材料の前記第４領域との間の距離と、前記第１の感光材料の前記第１領域に前記所定の画素レベルにしたがって露光される画像と前記第２の感光材料の前記第３領域に前記所定の画素レベルにしたがって露光される画像との濃度差を小さくし、且つ、前記第２の感光材料の前記第３領域に前記所定の画素レベルにしたがって露光される画像と前記第２の感光材料の前記第４領域に前記所定の画素レベルにしたがって露光される画像との濃度差を小さくするための画像の濃度についての補正値との関係を示す第２補正テーブルを備えていることが好ましい。
【００１９】
この構成によると、第１の感光材料の第１領域と第２領域との間の距離と、第１の感光材料の第１領域と第２領域との間で潜像時間の差に起因して生じる画像の濃度差を小さくするための画像の濃度についての補正値との関係を示す第１補正テーブルに基づいて、感光材料の第２領域の露光量が調整される。また、第２の感光材料の第３領域と第４領域との間の距離と、第１の感光材料の第１領域と第２の感光材料の前記第３領域との間で潜像時間の差に起因して生じる画像の濃度差を小さくし、且つ、第２の感光材料の第３領域と第４領域との間で潜像時間の差に起因して生じる画像の濃度差を小さくするための画像の濃度についての補正値との関係を示す第２補正テーブルに基づいて、感光材料の第４領域の露光量が調整される。従って、第１の感光材料の第２領域および第２の感光材料の第４領域の露光量の調整を速やかに行うことができる。
【００２０】
本発明のにおいては、前記露光部と前記現像部との間に配置されており、前記露光部により露光処理が施された複数の感光材料を並列に配置した後で前記現像部に対して供給可能な振り分け部をさらに備えており、前記第１の感光材料および前記第２の感光材料が、前記振り分け部から前記現像部に対してほぼ同時に供給される複数の感光材料のなかの２つの感光材料であることが好ましい。
【００２１】
この構成によると、露光部と現像部との間において振り分け部により並列に配置された複数の感光材料のそれぞれに形成される画像において、潜像時間の差に起因して生じる画像の濃度差が小さくなるので、複数の感光材料上に高画質の画像を形成することができると共に、現像部における処理能力を向上させることができる。
【００２２】
本発明の画像形成装置は、第１の搬送速度により搬送される感光材料に対して露光処理を施す露光部と、前記露光部により露光処理が施され且つ前記第１の搬送速度とは異なる第２の搬送速度により搬送される感光材料に対して現像処理を施す現像部と、第１の感光材料上にある第１領域に所定の画素レベルにしたがって露光される画像と前記第１の感光材料上にある前記第１領域とは異なる第２領域に前記所定の画素レベルにしたがって露光される画像との潜像時間の差に起因して生じる画像の濃度差がなくなるように、前記露光部における前記第１の感光材料の前記第２領域の露光量を制御する第１制御部と、前記第１の感光材料の前記第１領域に所定の画素レベルにしたがって露光される画像と前記第１の感光材料とは異なる第２の感光材料上にある第３領域に前記所定の画素レベルにしたがって露光される画像との潜像時間の差に起因して生じる画像の濃度差がなくなり、且つ、前記第２の感光材料の前記第３領域に前記所定の画素レベルにしたがって露光される画像と前記第２の感光材料上にある前記第３領域とは異なる第４領域に前記所定の画素レベルにしたがって露光される画像との潜像時間の差に起因して生じる画像の濃度差がなくなるように、前記露光部における前記第２の感光材料の前記第４領域の露光量を制御する第２制御部とを備えている。
【００２３】
この構成によると、第１の感光材料の第２領域の露光量が、第１の感光材料の第１領域と第２領域との間で潜像時間の差に起因して生じる画像の濃度差がなくなるように調整される。また、第２の感光材料の第４領域の露光量が、第１の感光材料の第１領域と第２の感光材料の第３領域との間で潜像時間の差に起因して生じる画像の濃度差がなくなると共に、第２の感光材料の第３領域と第４領域との間で潜像時間の差に起因して生じる画像の濃度差がなくなるように調整される。その結果、１つの感光材料上に形成される画像および複数の感光材料のそれぞれに形成される画像において、潜像時間の差に起因して生じる画像の濃度差がなくなるので、複数の感光材料上にさらに高画質の画像を形成することができる。
【発明を実施するための最良の形態】
【００２４】
以下、本発明の好適な実施の形態について、図面を参照しつつ説明する。
【００２５】
図１は、本発明の第１の実施の形態に係る写真処理装置の概略構成を示す図である。図１に示すように、本実施の形態の写真処理装置１は、スキャナ部１０と、制御部２０と、露光部３０と、現像部４０と、仕上げ処理部５０と、インターフェイス部６０とを有している。
【００２６】
スキャナ部１０では、フィルム装着ユニット１１に装着された写真フィルムを、光源ユニット１２に収納された光源で照射し、フィルム装着ユニット１１の下方にライン状に配置されたＣＣＤなどの撮像素子（図示せず）によって、フィルムの各コマに記録された画像の読み取り処理が行われる。そして、撮像素子から出力される画像信号は、図示しないＡ／Ｄコンバータでデジタル信号に変換された後に、制御部２０に供給される。
【００２７】
制御部２０は、例えば汎用のパーソナルコンピュータなどによって構成されており、スキャナ部１０で読み取られた画像データに対する画像処理や、写真処理装置１全体の制御などを行う。係るパーソナルコンピュータに搭載されたハードディスクには汎用のＯＳのほか本実施の形態の写真処理装置１に特化した制御プログラムを含む各種ソフトウェアが記憶されている。
【００２８】
露光部３０では、制御部２０で画像処理が施された画像データに基づいて、感光材料である印画紙７１に対して露光処理が施される。露光部３０は、それぞれが巻回された長尺の印画紙７１を収納しており且つ、選択的に使用される２つのペーパーマガジン３１ａ、３１ｂと、ペーパーマガジン３１ａ、３１ｂから引き出された所定幅を有する印画紙７１を幅方向に沿ってプリントサイズに応じた所望の長さに切断するカッター３２と、印画紙７１の感光乳剤層が形成されていない面（裏面）に所望の文字を印字するための印字ユニット３３と、青、緑、赤の３色にそれぞれ対応したレーザ光源から出射されたレーザ光を適切に制御し印画紙７１に対して走査露光を行う露光ユニット３４と、露光位置の上流側に配置されており、印画紙７１の送り方向先端部を検出するためのセンサ３５と、印画紙７１を搬送するための複数の搬送ローラ対３６ａ〜３６eと、搬送ローラ対３６ａ〜３６eを駆動するためのモータ３７とを有している。
【００２９】
現像部４０では、露光済みの印画紙７１に対して現像、漂白定着、安定化などの処理が施される。現像部４０は、露光部３０から供給された印画紙７１に対して現像、漂白定着、安定化の各処理を施すための処理槽４１ａ〜４１ｆと、処理槽４１ａ〜４１ｆに蓄えられた処理液の廃液および補充液のタンク４２ａ〜４２ｄと、印画紙７１を搬送するための複数のローラ対４３と、ローラ対４３を駆動するためのモータ（図示せず）とを有している。
【００３０】
仕上げ処理部５０では、現像部４０から排出された画像が顕在化した印画紙７１に対して乾燥処理が施され、さらに排出口７２から排出された印画紙７１がオーダーごとに仕分けられる。仕上げ処理部５０は、現像部４０から排出された印画紙７１を迅速に乾燥させるためのヒータ５１と、印画紙７１を搬送するための複数のローラ対５２と、ローラ対５２を駆動するためのモータ（図示せず）とを有している。印画紙７１は、ローラ対５２によって搬送された後、仕上がりプリントとして排出口７２から排出される。
【００３１】
インターフェイス部６０は、写真処理装置１に関する様々な情報を表示してオペレータに告知するディスプレイ６１と、オペレータが写真処理装置１に対して制御や画像処理のための指示を与えるキーボード６２（図８参照）等を有しており、写真処理装置１とオペレータとの間の情報のやり取りが行われる。
【００３２】
次に、露光部３０および現像部４０において複数の印画紙７１が搬送される様子について、図２を参照して説明する。図２は、露光部３０および現像部４０において複数の印画紙７１が搬送される様子を模式的に示したものである。ここで、図中の矢印は、印画紙７１の搬送方向および搬送速度を示している。
【００３３】
写真処理装置１では、露光部３０では比較的高速の搬送速度Ｖ１で搬送される印画紙７１に対して露光処理が施されるのに対して、現像部４０では比較的低速の搬送速度Ｖ２で搬送される印画紙７１に対して現像処理等が施される。従って、現像部４０での印画紙７１の搬送速度Ｖ２は、露光部３０での印画紙７１の搬送速度Ｖ１に比べて遅くなるように設定されている。つまり、本実施の形態の写真処理装置１では、露光部３０での印画紙７１の搬送速度Ｖ１と、現像部４０での印画紙７１の搬送速度Ｖ２との間には以下の（式１）に示すような関係が成り立つ。
【００３４】
Ｖ１＞Ｖ２                                                （式１）
【００３５】
次に、写真処理装置１において印画紙７１に対して露光処理が施される場合の動作手順について、図３を参照して説明する。図３は、写真処理装置１における露光処理の動作手順を示すフローチャートである。
【００３６】
先ず、ステップ１０１として、印画紙７１上にある領域ＸＬについて、印画紙７１の送り方向先端部（以下、単に「先端部」とする）からの距離Ｌが導出される。図４は、１つのコマ画像が形成される１枚の印画紙７１を示しており、１枚の印画紙７１の搬送方向長さはｂである。なお、本実施の形態では、印画紙７１の幅方向中心位置近傍における１画素に対応する各領域についてだけ説明するが、その他の１画素に対応する領域についても同様に考えることができる。
【００３７】
ここで、図４では、印画紙７１の幅方向中心位置近傍において、印画紙７１の先端部近傍にある１画素に対応する領域が領域Ｘ０、印画紙７１の先端部から距離ａだけ離隔した１画素に対応する領域が領域Ｘａ、印画紙７１の先端部から距離ｂだけ離隔した１画素に対応する領域つまり印画紙７１の後端近傍にある１画素に対応する領域が領域Ｘｂで図示されている。
【００３８】
そして、ステップ１０２として、印画紙７１の先端部からの距離Ｌに基づいて、印画紙７１上の領域Ｘ０に形成される画像と印画紙７１上の領域ＸＬに形成される画像との潜像時間の差が導出される。
【００３９】
ここで、印画紙７１上の領域Ｘ０に形成される画像の潜像時間Ｔ０（露光処理が施されてから現像処理が開始されるまでの時間）は、図１に示す露光位置Ａと現像開始位置Ｂとの間の距離Ｌ１および露光部３０内での印画紙７１の搬送速度Ｖ１を利用して、以下の（式２）により導出することができる。
【００４０】
Ｔ０＝Ｌ１／Ｖ１                                            （式２）
【００４１】
また、印画紙７１上の領域ＸＬに形成される画像の潜像時間ＴＬは、印画紙７１の先端部からの距離Ｌ、露光位置Ａと現像開始位置Ｂとの間の距離Ｌ１、露光部３０内での印画紙７１の搬送速度Ｖ１および現像部４０内での印画紙７１の搬送速度Ｖ２を利用して、以下の（式３）により導出することができる。
【００４２】
ＴＬ＝｛（Ｌ１−Ｌ）／Ｖ１｝＋Ｌ／Ｖ２                      （式３）
【００４３】
従って、（式２）、（式３）より、印画紙７１上の領域Ｘ０に形成される画像と領域ＸＬに形成される画像との潜像時間の差ＤＴＬは、以下の（式４）により導出することができる。
【００４４】
ＤＴＬ＝ＴＬ−Ｔ０＝Ｌ（Ｖ１−Ｖ２）／Ｖ１・Ｖ２          （式４）
【００４５】
従って、本実施の形態の写真処理装置１のように、露光部内３０での印画紙７１の搬送速度Ｖ１が現像部４０内での印画紙７１の搬送速度Ｖ２よりも大きい場合には、印画紙７１上の領域Ｘ０に形成される画像と領域ＸＬに形成される画像の潜像時間は同じにならない。また、（式４）より、印画紙７１の先端部からの距離Ｌと、印画紙７１上の領域Ｘ０に形成される画像と領域ＸＬに形成される画像との潜像時間の差ＤＴＬとの間には、図５に示すように、比例関係があることが分かる。従って、図５に基づいて、印画紙７１上の領域Ｘ０に形成される画像と、印画紙７１の先端部から距離ａ、ｂだけ離隔した領域Ｘａ、Ｘｂにそれぞれ形成される画像との潜像時間の差ＤＴａ、ＤＴｂを導出することができる。
【００４６】
そして、ステップ１０３として、上述のようにして導出された潜像時間の差ＤＴＬに基づいて、印画紙７１上の領域Ｘ０に形成される画像と、印画紙７１の先端部から距離Ｌだけ離隔した領域ＸＬに形成される画像との発色濃度との差ＮＬが導出される。
【００４７】
図６は、印画紙７１の領域Ｘ０および領域ＸＬが同じ露光量で露光された場合の潜像時間の差と、領域Ｘ０に形成される画像と領域ＸＬに形成される画像との発色濃度の差との関係を表している。図６からは、潜像時間の差が長くなるにつれて発色濃度の差は大きくなることが分かる。なお、ここでは、印画紙７１の先端部近傍にある領域Ｘ０に形成される画像の潜像時間および発色濃度を基準としているので、領域Ｘ０については、潜像時間の差および発色濃度の差はいずれも０となる。従って、図６に基づいて、印画紙７１の先端部から距離ａ、ｂだけ離隔した領域Ｘａ、Ｘｂ、つまり、印画紙７１の先端部近傍にある領域Ｘ０に形成される画像との潜像時間の差がＤＴａ、ＤＴｂである場合の発色濃度の差Ｎａ、Ｎｂを導出することができる。
【００４８】
続いて、ステップ１０４として、上述のようにして導出された発色濃度の差ＮＬに基づいて、印画紙７１の先端部から距離Ｌだけ離隔した領域ＸＬに形成される画像についての発色濃度の補正値ＭＬが導出される。ここで、（表１）は、印画紙７１の先端部からの距離Ｌと、領域ＸＬに形成される画像についての発色濃度の補正値ＭＬとの関係を示す補正テーブルを示している。なお、（表１）に示す発色濃度の補正値ＭＬは、印画紙７１上の領域Ｘ０に形成される画像の発色濃度を基準としたときの値である。
【００４９】
【表１】
2005081692.tif 000003
【００５０】
ここで、印画紙７１の先端部から距離Ｌだけ離隔した領域ＸＬに形成される画像についての発色濃度の補正値ＭＬは、印画紙７１上の領域Ｘ０に形成される画像と領域ＸＬに形成される画像との発色濃度の差ＮＬの符号を逆にした値であって、以下の（式５）の関係が成り立つ。
【００５１】
ＭＬ＝−ＮＬ                      （式５）
【００５２】
従って、（表１）より、印画紙７１の先端部から距離ａ、ｂだけ離隔した領域Ｘａ、Ｘｂに形成される画像についての発色濃度の補正値Ｍａ、Ｍｂを導出することができる。なお、印画紙７１上の領域Ｘ０に形成される画像についての補正値Ｍ０は０である。
【００５３】
そして、ステップ１０５として、印画紙７１の先端部から距離Ｌだけ離隔した領域ＸＬに形成される画像についての発色濃度の補正値ＭＬおよび印画紙７１の発色特性（図７参照）に基づいて、印画紙７１上の位置ＸＬの露光量が導出される。図７は、印画紙７１の発色特性の一例を示しており、横軸が露光量を表しており、縦軸が発色濃度を表している。なお、印画紙７１の発色特性は感光材料の種類によって異なるものであって、図７に示す印画紙７１の発色特性では、露光量が多くなるにつれて発色濃度が次第に濃くなることが分かる。
【００５４】
ここでは、画像データに含まれる印画紙７１上の領域Ｘ０、領域Ｘａ、領域Ｘｂにそれぞれ対応する画素の画素レベルがいずれも発色濃度Ｓ０に対応しており、それらの領域がその所定の画素レベルにしたがって露光される場合の露光量がＥ０である場合について考える。したがって、印画紙７１上の各領域に形成される画像の潜像時間の差に起因する発色濃度差を考慮しない場合には、印画紙７１上の領域Ｘ０、領域Ｘａ、領域Ｘｂがそれぞれ露光量Ｅ０で露光された場合には、印画紙７１上においてそれぞれ発色濃度Ｓ０の画像が形成されると考えられる。しかしながら、印画紙７１上の各領域に形成される画像の潜像時間の差に起因する発色濃度差を考慮すると、印画紙７１上の領域Ｘ０、領域Ｘａ、領域Ｘｂの露光量は以下のように調整される必要がある。
【００５５】
まず、印画紙７１上の領域Ｘ０の露光量の導出について説明する。印画紙７１の先端部近傍にある領域Ｘ０に形成される画像についての発色濃度の補正値は、（表１）の補正テーブルに基づいて補正値Ｍ０と導出されるので、領域Ｘ０の露光量は所定の画素レベルに対応する露光量Ｅ０から補正値Ｍ０だけ小さい露光量に調整される必要がある。ここで、（式５）から補正値Ｍ０は０であるので、印画紙７１上の領域Ｘ０の露光量は調整する必要がなく、領域Ｘ０の露光量はＥ０と導出される。これは、印画紙７１上の領域Ｘ０に形成される画像の発色濃度を基準としているので当然のことである。
【００５６】
また、印画紙７１上の領域Ｘａの露光量の導出について説明する。印画紙７１の先端部から距離ａだけ離隔した領域Ｘａに形成される画像についての発色濃度の補正値は、（表１）の補正テーブルに基づいて補正値Ｓａと導出されるので、領域Ｘａの露光量は所定の画素レベルに対応する露光量Ｅ０から補正値Ｓａだけ小さい露光量に調整される必要がある。ここで、（式５）から補正値Ｍａは「−Ｎａ」であるので、図７に示すように、印画紙７１上の領域Ｘａの露光量は、所定の画素レベルに対応する発色濃度Ｓ０よりも発色濃度の差Ｎａだけ淡い発色濃度Ｓａに対応する露光量Ｅａと導出される。
【００５７】
また、印画紙７１上の領域Ｘｂの露光量の導出について説明する。印画紙７１の先端部からの距離ｂだけ離隔した領域Ｘａに形成される画像についての発色濃度の補正値は、（表１）の補正テーブルに基づいて補正値Ｓｂと導出されるので、領域Ｘｂの露光量は所定の画素レベルに対応する露光量Ｅ０から補正値Ｓｂだけ小さい露光量に調整される必要がある。ここで、（式５）から補正値Ｍｂは「−Ｎｂ」であるので、図７に示すように、印画紙７１上の領域Ｘｂの露光量は、所定の画素レベルに対応する発色濃度Ｓ０よりも発色濃度の差Ｎｂだけ淡い発色濃度Ｓｂに対応する露光量Ｅｂと導出される。
【００５８】
なお、ここでは、説明を分かり易くするために、画像データに含まれる印画紙７１上の領域Ｘ０、領域Ｘａ、領域Ｘｂにそれぞれ対応する画素の画素レベルがいずれも同じである場合について説明したが、画像データに含まれる印画紙７１上の領域Ｘ０、領域Ｘａ、領域Ｘｂにそれぞれ対応する画素の画素レベルが互いに異なる場合でも同様にして、印画紙７１の各領域の露光量をそれぞれ導出することができる。
【００５９】
従って、この場合にも、印画紙７１上の領域Ｘａに対して導出される露光量は、画像データに含まれる印画紙７１上の領域Ｘａに対応する画素の画素レベルに対応する発色濃度よりも補正値Ｍａだけ淡い発色濃度に対応する露光量であると共に、印画紙７１上の領域Ｘｂに対して導出される露光量は、画像データに含まれる印画紙７１上の領域Ｘｂに対応する画素の画素レベルに対応する発色濃度よりも補正値Ｍｂだけ淡い発色濃度に対応する露光量である。すなわち、印画紙７１上の各領域に対して導出される露光量は、画像データに含まれる印画紙７１上の当該領域に対応する画素の画素レベルに対応する発色濃度よりも、印画紙７１の先端部から当該領域までの距離に対応する補正値だけ淡い発色濃度に対応する露光量である。
【００６０】
最後に、ステップ１０６として、上述のようにして導出された露光量に基づいて、印画紙７１上の領域ＸＬが露光される。従って、印画紙７１に形成される画像においては、印画紙７１の先端部からの距離が異なることによる潜像時間の差に起因して生じる画像の濃度差がほとんどなくなるように露光される。
【００６１】
なお、上述したように、画像データの領域Ｘ０、Ｘａ、Ｘｂに対応する画素の画素レベルが発色濃度Ｓ０に対応している場合には、印画紙７１上の領域Ｘ０、Ｘａ、Ｘｂが、露光量Ｅ０、Ｅａ、Ｅｂでそれぞれ露光される。従って、印画紙７１上の領域Ｘ０には、所定の画素レベルに対応する露光量Ｅ０で露光されて潜像時間Ｔ０だけ経過した後に現像処理が開始されることによって、発色濃度Ｓ０の画像が形成される。また、印画紙７１上の位置Ｘａには、所定の画素レベルに対応する露光量Ｅ０よりも小さい露光量Ｅａで露光されて領域Ｘ０の潜像時間Ｔ０よりも時間ＤＴａだけ長い潜像時間Ｔａだけ経過した後に現像処理が開始されることによって、発色濃度Ｓ０の画像が形成される。同様に、印画紙７１上の位置Ｘｂには、所定の画素レベルに対応する露光量Ｅ０よりも小さい露光量Ｅｂで露光されて領域Ｘ０の潜像時間Ｔ０よりも時間ＤＴｂだけ長い潜像時間Ｔｂだけ経過した後に現像処理が開始されることによって、発色濃度Ｓ０の画像が形成される。その結果、印画紙７１の先端部からの距離が異なることによって画像の潜像時間が異なるにも拘わらず、領域Ｘ０、Ｘａ、Ｘｂにそれぞれ形成される画像の発色濃度はいずれも同じ発色濃度Ｓ０となる。
【００６２】
次に、写真処理装置１の制御系について、図８を参照して説明する。図８は、制御部２０とこれに接続された機器についてのブロック図である。
【００６３】
制御部２０は、適切なソフトウェアにより制御されるＣＰＵやＲＯＭ、ＲＡＭなどのハードウェアを備えており、図８に示すように、距離導出部２１と、第１ＬＵＴ（Look Up Table）２２と、第２ＬＵＴ２３と、露光量導出部２３と、露光制御部２５とが形成されている。また、制御部２０には、スキャナ部１０と、ディスプレイ６１と、キーボード６２と、露光ユニット３４とが接続されている。
【００６４】
距離導出部２１は、センサ３５により印画紙７１の領域Ｘ０が検出された時刻と、露光部３０内での印画紙７１の搬送距離Ｖ１とから、印画紙７１上の露光位置Ａに対抗する領域ＸＬについて、印画紙７１の先端部からの距離Ｌを導出する。
【００６５】
第１ＬＵＴ２２には、（表１）に示すような印画紙７１の先端部からの距離Ｌと発色濃度の補正値ＭＬとの関係を示す補正テーブルが記憶されている。なお、第１ＬＵＴ２２の内容は、例えば露光部３０での印画紙７１の搬送速度Ｖ１、現像部４０での印画紙７１の搬送速度Ｖ２、現像処理に用いられる現像液の種類、青、緑、赤にそれぞれ対応するレーザ光の種類、感光材料の種類などによって異なる。従って、本実施の形態では、第１ＬＵＴ２２は、少なくとも青、緑、赤のそれぞれのレーザ光に対応する内容が記憶されている。
【００６６】
第２ＬＵＴ２３には、図７に示すような印画紙７１の発色特性（露光量と発色濃度との関係）を示す補正テーブルが記憶されている。なお、第２ＵＴ２３の内容は、例えば青、緑、赤にそれぞれ対応するレーザ光の種類、感光材料の種類によって異なる。従って、本実施の形態では、第２ＬＵＴ２３には、少なくとも青、緑、赤のそれぞれのレーザ光に対応する内容が記憶されている。
【００６７】
露光量導出部２４は、距離導出部２１で導出された印画紙７１の先端部からの距離Ｌ、第１ＬＵＴ２２及び第２ＬＵＴ２３に記憶されている補正テーブルから、印画紙７１の先端部から距離Ｌだけ離隔した領域ＸＬの露光量を演算する。なお、露光量導出部２４での露光量の導出は、上述のステップ１０５における説明と同様にして行われる。
【００６８】
露光制御部２５は、露光量導出部２４で導出された露光量に基づいて、露光ユニット３４を制御して印画紙７１の各領域に対して露光処理を行う。
【００６９】
なお、本実施の形態の写真処理装置１では、制御部２０には第１ＬＵＴ２２が形成されているので、印画紙７１の先端部からの距離が異なる各領域ごとに、領域Ｘ０に形成される画像の潜像時間との差ＤＴＬの導出（上述のステップ１０３）、領域Ｘ０に形成される画像の発色濃度との差ＮＬの導出（上述のステップ１０４）が行われることなく、印画紙７１の先端部からの距離Ｌが導出されると、第１ＬＵＴ２２に記憶された補正テーブルに基づいて、領域ＸＬに形成される画像についての発色濃度の補正値ＭＬが導出される。
【００７０】
以上のように、本実施の形態の写真処理装置１では、印画紙７１の先端部から距離Ｌだけ離隔した領域ＸＬの露光量が、印画紙７１の先端部近傍にある領域Ｘ０に形成される画像と領域ＸＬに形成される画像との間で潜像時間の差に起因して生じる画像の濃度差がなくなるように調整される。従って、印画紙７１上に形成される画像において、潜像時間の差に起因して生じる画像の濃度差がほとんどなくなるので、印画紙７１上に高画質の画像を形成することができる。
【００７１】
また、印画紙７１の先端部からの距離Ｌが導出されると、第１ＬＵＴ２２に記憶された補正テーブルに基づいて、印画紙７１の先端部から距離Ｌだけ離隔した領域ＸＬに形成される画像についての発色濃度の補正値ＭＬが導出される。そして、その補正値ＭＬを利用することによって、領域ＸＬの露光量が導出される。従って、印画紙７１上の領域ＸＬの露光量を速やかに導出することができる。
【００７２】
次いで、本発明の第２の実施の形態に係る写真処理装置について、図面を参照しつつ説明する。
【００７３】
本実施の形態に係る写真処理装置の構成が、第１の実施の形態に係る写真処理装置１の構成と主に異なる点は、図１に示す写真処理装置１では露光部３０および現像部４０のいずれにおいても複数の印画紙７１が１列で搬送されるのに対して、本実施の形態の写真処理装置では、露光部３０では複数の印画紙７１が１列で搬送されるが、現像部１４０では複数の印画紙７１が２列で搬送される点である。なお、その他の構成については、図１に示す写真処理装置１と同様であるので、詳細な説明は省略する。
【００７４】
本実施の形態の写真処理装置は、露光部３０と現像部１４０との間に配置されたペーパー振分部８０を備えている。また、現像部１４０には、露光部３０で露光処理された印画紙７１を２列で搬送するための第１搬送経路１４４ａおよび第２搬送経路１４４ｂが設けられている。
【００７５】
ペーパー振分部８０は、ペーパー振分ユニット８１と、ペーパー送り出しユニット８２とを有している。ペーパー振分ユニット８１は、露光部３０から供給された印画紙７１を受け取って、ペーパー送り出しユニット８２に供給するユニットである。ペーパー振分ユニット８１には、第１受け渡し部８１ａと第２受け渡し部８１ｂとが設けられている。また、ペーパー振分ユニット８１は、印画紙７１の搬送方向とは垂直（矢印Ｅ及び矢印Ｆで示す方向）に移動することが可能である。
【００７６】
ペーパー送り出しユニット８２は、ペーパー振分ユニット８１から受け取った印画紙７１を現像部４０に供給するユニットである。ペーパー送り出しユニット８２には、第１送り出し部８２ａと第２送り出し部８２ｂとが設けられている。そして、第１送り出し部８２ａは、現像部１４０の第１搬送経路１４４ａに印画紙７１を送り出し、第２送り出し部８２ｂは、現像部１４０の第２搬送経路１４４ｂに印画紙７１を送り出す。
【００７７】
本実施の形態の写真処理装置のペーパー振分部８０において印画紙７１が振り分け搬送される際の動作について、図９を参照して説明する。図９は、本実施の形態の写真処理装置におけるペーパー振分部の動作を説明する図である。なお、図９では、露光部３０内を１列で搬送される印画紙Ａ、Ｂ、Ｃが、ペーパー振分部８０において２列に振り分けられて、現像部４０へ供給される際の動作について説明する。また、図９中の矢印Ｄは印画紙７１の搬送方向を示す。
【００７８】
先ず、図９（ａ）に示すように、先頭の印画紙Ａがペーパー振分部８０に達する直前に、ペーパー振分ユニット８１は矢印Ｆ方向に移動する。すると、第１受け渡し部８１ａが露光部３０内での印画紙７１の搬送経路の延長上に配置される。そして、印画紙Ａが第１受け渡し部８１ａに送られる。
【００７９】
引き続き、ペーパー振分ユニット８１は、図９（ｂ）に示すように、矢印Ｅ方向に移動する。すると、第１受け渡し部８１ａが第１送り出し部８２ａと現像部１４０の第１搬送経路１４４ａとの延長上に配置されると共に、第２受け渡し部８１ｂが露光部３０内での印画紙７１の搬送経路の延長上に配置される。そして、印画紙Ａが第１送り出し部８２ａに送られると共に、印画紙Ｂが第２受け渡し部８１ｂに送られる。
【００８０】
その後、図９（ｃ）に示すように、ペーパー振分ユニット８１は再び矢印Ｅ方向に移動する。すると、第２受け渡し部８１ｂが第１送り出し部８２ａと現像部１４０の第２搬送経路１４４ｂとの延長上に配置されると共に、第１受け渡し部８１ａが露光部３０内での印画紙７１の搬送経路の延長上に配置される。そして、印画紙Ｂが第２送り出し部８２ｂに送られると共に、印画紙Ｃが第１受け渡し部８１ａに送られる。このとき、印画紙Ａは、ペーパー送り出しユニット８２の第１送り出し部８２ａに配置された状態で停止している。
【００８１】
そして、ペーパー送り出しユニット８２において、印画紙Ａが第１送り出し部８２ａに配置されると共に、印画紙Ｂが第２送り出し部８２ｂに配置されると、印画紙Ａおよび印画紙Ｂは、現像部１４０の第１搬送経路１４４ａ、第２搬送経路１４４ｂへとそれぞれ同時に供給される。
【００８２】
従って、本実施の形態の写真処理装置では、露光部３０において連続的に露光処理が施される複数の印画紙７１のうち、奇数番目に露光処理が施される印画紙７１は、露光処理が施されてペーパー送り出しユニット８２に送られた後、一旦停止状態となる。そして、次の印画紙７１（偶数番目に露光処理が施される印画紙７１）がペーパー送り出しユニット８２に送られるまで待機状態となる。その結果、印画紙７１の先端部からそれぞれ同じ距離だけ離隔した領域に形成される画像ついては、奇数番目に露光処理が施される印画紙７１に形成される画像の潜像時間は、偶数番目に露光処理が施される印画紙７１に形成される画像の潜像時間よりも、ペーパー送り出しユニット８２での待機時間Ｔｓだけ長くなる。
【００８３】
従って、偶数番目に露光処理が施される印画紙７１の先端部近傍にある領域Ｘ０’、その先端部から距離ａ、ｂだけ離隔した領域Ｘａ’、Ｘｂ’（図１１参照）に形成される画像の潜像時間Ｔ０’、Ｔａ’、Ｔｂ’と、奇数番目に露光処理が施される印画紙７１の先端部近傍にある領域Ｘ０’’、その先端部から距離ａ、ｂだけ離隔した領域Ｘａ’’、Ｘｂ’’（図１１参照）に形成される画像の潜像時間Ｔ０’’、Ｔａ’’、Ｔｂ’’との間には、以下の（式５）、（式６）、（式７）で表される関係がある。
【００８４】
Ｔ０’’＝Ｔ０’＋Ｔｓ                                    （式６）
Ｔａ’’＝Ｔａ’＋Ｔｓ                                    （式７）
Ｔｂ’’＝Ｔｂ’＋Ｔｓ                                    （式８）
【００８５】
次に、本実施の形態の写真処理装置において印画紙７１に対して露光処理が施される場合の動作手順について、図１０を参照して説明する。図１０は、第２の実施の形態に係る写真処理装置における露光処理の動作手順を示すフローチャートである。
【００８６】
先ず、ステップ２０１として、露光部３０において偶数番目に露光処理が施される印画紙７１上の領域ＸＬについて、印画紙７１の先端部からの距離Ｌが導出される。図１１は、１つのコマ画像が形成される１枚の印画紙７１を示しており、１枚の印画紙７１の搬送方向長さはｂである。なお、本実施の形態では、印画紙７１の幅方向中心位置近傍における１画素に対応する各領域についてだけ説明するが、その他の１画素に対応する領域についても同様に考えることができる。
【００８７】
ここで、図１１では、露光部３０において偶数番目に露光処理が施される印画紙７１の幅方向中心位置近傍において、印画紙７１の先端部近傍にある１画素に対応する領域が領域Ｘ０’、印画紙７１の先端部から距離ａだけ離隔した１画素に対応する領域が領域Ｘａ’、印画紙７１の先端部から距離ｂだけ離隔した１画素に対応する領域つまり印画紙７１の後端近傍にある１画素に対応する領域が領域Ｘｂ’で図示されている。
【００８８】
そして、ステップ２０２として、露光部３０において偶数番目に露光処理が施される印画紙７１の先端部からの距離Ｌに基づいて、印画紙７１上の領域Ｘ０’に形成される画像と印画紙７１上の領域ＸＬ’に形成される画像との潜像時間の差が導出される。
【００８９】
ここで、露光部３０において偶数番目に露光処理が施される印画紙７１においては、印画紙７１の先端部からの距離Ｌと、印画紙７１上の領域Ｘ０’に形成される画像と印画紙７１上の領域ＸＬ’に形成される画像との潜像時間の差ＤＴＬとの間には、第１の実施の形態と同様に、図１２で実線で示すような比例関係がある。従って、図１２に基づいて、印画紙７１上の領域Ｘ０’に形成される画像と、印画紙７１の先端部から距離ａ、ｂだけ離隔した領域Ｘａ’、Ｘｂ’にそれぞれ形成される画像との潜像時間の差ＤＴａ’、ＤＴｂ’を導出することができる。
【００９０】
そして、ステップ２０３として、上述のようにして導出された潜像時間の差ＤＴＬに基づいて、露光部３０において偶数番目に露光処理が施される印画紙７１上の領域Ｘ０’に形成される画像と、印画紙７１の先端部から距離Ｌだけ離隔した領域ＸＬに形成される画像との発色濃度との差ＮＬが導出される。従って、図１３に基づいて、露光部３０において偶数番目に露光処理が施される印画紙７１の先端部から距離ａ、ｂだけ離隔した領域Ｘａ’、Ｘｂ’つまり潜像時間の差がＤＴａ’、ＤＴｂ’である場合の発色濃度の差ＮＬａ’、ＮＬｂ’を導出することができる。
【００９１】
引き続き、ステップ２０４として、露光部３０において奇数番目に露光処理が施される印画紙７１上にある領域ＸＬについて、印画紙７１の先端部からの距離Ｌが導出される。  ここで、図１１では、露光部３０において奇数番目に露光処理が施される印画紙７１の幅方向中心位置近傍において、印画紙７１の先端部近傍にある１画素に対応する領域が領域Ｘ０’’、印画紙７１の先端部から距離ａだけ離隔した１画素に対応する領域が領域Ｘａ’’、印画紙７１の先端部から距離ｂだけ離隔した１画素に対応する領域つまり印画紙７１の後端近傍にある１画素に対応する領域が領域Ｘｂ’’で図示されている。
【００９２】
そして、ステップ２０５として、露光部３０において奇数番目に露光処理が施される印画紙７１の先端部からの距離Ｌに基づいて、印画紙７１上の領域Ｘ０’’に形成される画像と印画紙７１上の領域ＸＬ’’に形成される画像との潜像時間の差が導出される。
【００９３】
ここで、露光部３０において奇数番目に露光処理が施される印画紙７１においては、印画紙７１の先端部からの距離Ｌと、印画紙７１上の領域Ｘ０’’に形成される画像と印画紙７１上の領域ＸＬ’’に形成される画像との潜像時間の差ＤＴＬとの間には、図１２で波線で示すような比例関係がある。従って、図１２に基づいて、印画紙７１上の領域Ｘ０’’に形成される画像と、印画紙７１の先端部から距離ａ、ｂだけ離隔した領域Ｘａ’’、Ｘｂ’’にそれぞれ形成される画像との潜像時間の差ＤＴａ’’、ＤＴｂ’’を導出することができる。
【００９４】
なお、図１２において、露光部３０において奇数番目に露光処理が施される印画紙７１についての波線のグラフは、露光部３０において偶数番目に露光処理が施される印画紙７１についての実線のグラフをペーパー振り分け部８０での待機時間Ｔｓだけ上方にずらしたグラフになる。
【００９５】
そして、ステップ２０６として、上述のようにして導出された潜像時間の差ＤＴＬに基づいて、露光部３０において偶数番目に露光処理が施される印画紙７１上の領域Ｘ０’’に形成される画像と、印画紙７１の先端部から距離Ｌだけ離隔した領域ＸＬに形成される画像との発色濃度との差ＮＬが導出される。
【００９６】
従って、図１３に基づいて、露光部３０において奇数番目に露光処理が施される印画紙７１の先端部近傍にある領域Ｘ０’’、つまり、露光部３０において偶数番目に露光処理が施される印画紙７１の先端部近傍にある領域Ｘ０’に形成される画像の潜像時間との差がＴｓである場合の発色濃度の差Ｎ０’’ を導出することができる。
【００９７】
また、露光部３０において奇数番目に露光処理が施される印画紙７１の先端部から距離ａ、ｂだけ離隔した領域Ｘａ’’、Ｘｂ’’、つまり、露光部３０において偶数番目に露光処理が施される印画紙７１の先端部近傍にある領域Ｘ０’に形成される画像の潜像時間との差がＤＴａ’’、ＤＴｂ’’である場合の発色濃度の差ＮＬａ’’、ＮＬｂ’’ を導出することができる。
【００９８】
続いて、ステップ２０７として、上述のようにして導出された発色濃度の差ＮＬに基づいて、露光部３０において偶数番目または奇数番目に露光処理が施される印画紙７１のそれぞれについて、印画紙７１の先端部から距離Ｌだけ離隔した領域ＸＬに形成される画像についての発色濃度の補正値ＭＬが導出される。ここで、（表２）は、露光部３０において偶数番目に露光処理が施される印画紙７１について、（表３）は、露光部３０において奇数番目に露光処理が施される印画紙７１について、印画紙７１の先端部からの距離Ｌと、領域ＸＬに形成される画像についての発色濃度の補正値ＭＬとの関係を示す補正テーブルを示している。なお、（表２）および（表３）に示す発色濃度の補正値ＭＬは、露光部３０において偶数番目に露光処理が施される印画紙７１上の領域Ｘ０’に形成される画像の発色濃度を基準としたときの値である。
【００９９】
【表２】
2005081692.tif 000004
【０１００】
【表３】
2005081692.tif 000005
【０１０１】
ここで、印画紙７１の先端部から距離Ｌだけ離隔した領域ＸＬに形成される画像についての発色濃度の補正値ＭＬは、印画紙７１上の領域Ｘ０’または領域Ｘ０’’に形成される画像と領域ＸＬに形成される画像との発色濃度の差ＮＬの符号を逆にした値であって、上述の（式５）の関係が成り立つ。
【０１０２】
従って、（表２）より、露光部３０において偶数番目に露光処理が施される印画紙７１の先端部から距離ａ、ｂだけ離隔した領域Ｘａ’、Ｘｂ’に形成される画像についての発色濃度の補正値Ｍａ’、Ｍｂ’を導出することができる。なお、露光部３０において偶数番目に露光処理が施される印画紙７１上の領域Ｘ０に形成される画像についての補正値Ｍ０’は０である。
【０１０３】
また、（表３）より、露光部３０において奇数番目に露光処理が施される印画紙７１の先端部から距離ａ、ｂだけ離隔した領域Ｘａ’’、Ｘｂ’’に形成される画像についての発色濃度の補正値Ｍａ’’、Ｍｂ’’を導出することができる。
【０１０４】
なお、露光部３０において奇数番目に露光処理が施される印画紙７１上の領域Ｘ０’’に形成される画像についての補正値Ｍ０’’は、図１３において、潜像時間の差ＤＴＬがペーパー振り分け８０における露光部３０において奇数番目に露光処理が施される印画紙７１の待機時間ＴＳとなる場合の発色濃度の差Ｎ０’’である。
【０１０５】
そして、ステップ２０８として、印画紙７１の先端部から距離Ｌだけ離隔した領域ＸＬに形成される画像についての発色濃度の補正値および印画紙７１の発色特性（図１４参照）に基づいて、印画紙７１上の位置ＸＬの露光量が導出される。図１４は、印画紙の発色特性の一例を示しており、横軸が露光量を表しており、縦軸が発色濃度を表している。
【０１０６】
ここで、第１の実施の形態と同様に、画像データに含まれる露光部３０において偶数番目に露光処理が施される印画紙７１の領域Ｘ０’、領域Ｘａ’、領域Ｘｂ’にそれぞれ対応する画素の画素レベル、および、画像データに含まれる露光部３０において奇数番目に露光処理が施される印画紙７１の領域Ｘ０’’、領域Ｘａ’’、領域Ｘｂ’’にそれぞれ対応する画素の画素レベルが、いずれも発色濃度Ｓ０に対応しており、それらの領域がその所定の画素レベルにしたがって露光される場合の露光量がＥ０である場合について考える。
【０１０７】
まず、露光部３０において偶数番目に露光処理が施される印画紙７１上の領域Ｘ０’の露光量の導出について説明する。印画紙７１の先端部近傍にある領域Ｘ０’に形成される画像についての発色濃度の補正値は、（表２）の補正テーブルに基づいて補正値Ｍ０’と導出されるので、領域Ｘ０’の露光量は所定の画素レベルに対応する露光量Ｅ０から補正値Ｍ０’だけ小さい露光量に調整される必要がある。ここで、（式５）から補正値Ｍ０’は０であるので、印画紙７１上の領域Ｘ０’の露光量は調整する必要がなく、領域Ｘ０’の露光量はＥ０と導出される。このように、本実施の形態では、露光部３０において偶数番目に露光処理が施される印画紙７１上の領域Ｘ０に形成される画像の発色濃度を基準としている。
【０１０８】
また、露光部３０において偶数番目に露光処理が施される印画紙７１上の領域Ｘａ’の露光量の導出について説明する。印画紙７１の先端部から距離ａだけ離隔した領域Ｘａ’に形成される画像についての発色濃度の補正値は、（表２）の補正テーブルに基づいて補正値Ｓａ’と導出されるので、領域Ｘａ’の露光量は所定の画素レベルに対応する露光量Ｅ０から補正値Ｓａ’だけ小さい露光量に調整される必要がある。ここで、（式５）から補正値Ｍａ’は「−Ｎａ’」であるので、図１３に示すように、印画紙７１上の領域Ｘａ’の露光量は、所定の画素レベルに対応する発色濃度Ｓ０よりも発色濃度の差Ｎａ’だけ淡い発色濃度Ｓａ’に対応する露光量Ｅａ’と導出される。
【０１０９】
また、同様にして、露光部３０において偶数番目に露光処理が施される印画紙７１上の領域Ｘｂ’の露光量を導出することができる。従って、印画紙７１上の領域Ｘｂ’の露光量は、所定の画素レベルに対応する発色濃度Ｓ０よりも発色濃度差Ｎｂ’だけ淡い発色濃度Ｓｂ’に対応する露光量Ｅｂ’と導出される。
【０１１０】
次に、露光部３０において奇数番目に露光処理が施される印画紙７１上の領域Ｘ０’’の露光量の導出について説明する。印画紙７１の先端部近傍にある領域Ｘ０’’に形成される画像についての発色濃度の補正値は、（表３）の補正テーブルに基づいて補正値Ｍ０’’と導出されるので、領域Ｘ０’’の露光量は所定の画素レベルに対応する露光量Ｅ０から補正値Ｍ０’’だけ小さい露光量に調整される必要がある。ここで、（式５）から補正値Ｍ０’’は「−Ｎ０’’」であるので、図１３に示すように、印画紙７１上の領域Ｘｂ’’の露光量は、所定の画素レベルに対応する発色濃度Ｓ０よりも発色濃度の差Ｎ０’’だけ淡い発色濃度Ｓ０’’に対応する露光量Ｅ０’’と導出される。
【０１１１】
また、同様にして、露光部３０において奇数番目に露光処理が施される印画紙７１上の領域Ｘａ’’および領域Ｘｂ’’の露光量を導出することができる。従って、印画紙７１上の領域Ｘａ’’、Ｘｂ’’の露光量は、所定の画素レベルに対応する発色濃度Ｓ０よりも発色濃度差Ｎａ’’、Ｎｂ’’だけ淡い発色濃度Ｓａ’’、Ｓｂ’’に対応する露光量Ｅａ’’、Ｅｂ’’と導出される。
【０１１２】
なお、第１の実施の形態と同様に、画像データに含まれる露光部３０において偶数番目に露光処理が施される印画紙７１上の領域Ｘ０’、領域Ｘａ’、領域Ｘｂ’、および、画像データに含まれる露光部３０において奇数番目に露光処理が施される印画紙７１上の領域Ｘ０’’、領域Ｘａ’’、領域Ｘｂ’’にそれぞれ対応する画素の画素レベルが互いに異なる場合でも同様にして、印画紙７１の各領域の露光量をそれぞれ導出することができる。
【０１１３】
最後に、ステップ２０９として、上述のようにして調整された露光量に基づいて、露光部３０において偶数番目または奇数番目に露光処理が施される印画紙７１の各領域ＸＬが露光される。従って、露光部３０において偶数番目に露光処理が施される印画紙７１に形成される画像においては、印画紙７１の先端部からの距離が異なることによる潜像時間の差に起因して生じる画像の濃度差がほとんどなくなるように露光される。また、露光部３０において奇数番目に露光処理が施される印画紙７１に形成される画像においては、ペーパー振り分け部８０での待機時間および印画紙７１の先端部からの距離が異なることによる潜像時間の差に起因して生じる画像の濃度差がほとんどなくなるように露光される。
【０１１４】
なお、上述したように、画像データの領域Ｘ０’、Ｘａ’、Ｘｂ’、Ｘ０’’、Ｘａ’’、Ｘｂ’’にそれぞれ対応する画素の画素レベルが発色濃度Ｓ０に対応している場合には、印画紙７１上の領域Ｘ０’、Ｘａ’、Ｘｂ’、Ｘ０’’、Ｘａ’’、Ｘｂ’’が、露光量Ｅ０’、Ｅａ’、Ｅｂ’、Ｅ０’’、Ｅａ’’、Ｅｂ’’でそれぞれ露光される。その結果、印画紙７１の先端部からの距離が異なることおよび印画紙７１の搬送経路が異なることによって画像の潜像時間が異なるにも拘わらず、領域Ｘ０’、Ｘａ’、Ｘｂ’、Ｘ０’’、Ｘａ’’、Ｘｂ’’にそれぞれ形成される画像の発色濃度はいずれも同じ発色濃度Ｓ０となる。
【０１１５】
次に、本実施の形態の写真処理装置の制御系について説明する。本実施の形態の写真処理装置の制御系が、第１の実施の形態の写真処理装置１の制御系と主に異なる点は、写真処理装置１の制御部２０に形成された第１ＬＵＴ２２には、すべての印画紙７１について共通の補正テーブル（表１参照）が記憶されているのに対して、本実施の形態の写真処理装置の制御部に形成された第１ＬＵＴには、露光部３０において偶数番目に露光処理が施される印画紙７１について補正テーブル（表２参照）および露光部３０において奇数番目に露光処理が施される印画紙７１について補正テーブル（表３参照）がそれぞれ別々に記憶されている点である。なお、その他の点については、第１の実施の形態とほぼ同様であるので、詳細な説明は省略する。
【０１１６】
以上のように、本実施の形態の写真処理装置では、露光部３０において偶数番目に露光処理が施される印画紙７１については、印画紙７１の先端部から距離Ｌだけ離隔した領域ＸＬの露光量が、印画紙７１の先端部近傍にある領域Ｘ０’に形成される画像と領域ＸＬに形成される画像との間で潜像時間の差に起因して生じる画像の濃度差がなくなるような露光量だけ調整される。一方、露光部３０において奇数番目に露光処理が施される印画紙７１については、印画紙７１の先端部から距離Ｌだけ離隔した領域ＸＬの露光量が、露光部３０において偶数番目に露光処理が施される印画紙７１上の領域Ｘ０’に形成される画像と露光部３０において奇数番目に露光処理が施される印画紙７１上の領域Ｘ０’’に形成される画像との間、および、露光部３０において奇数番目に露光処理が施される印画紙７１上の領域Ｘ０’’に形成される画像と領域ＸＬに形成される画像との間で、潜像時間の差に起因して生じる画像の濃度差がなくなるように調整される。従って、露光部３０において偶数番目または奇数番目に露光処理が施される印画紙７１上にそれぞれ形成される画像、および、異なる印画紙７１上に形成される画像において、潜像時間の差に起因して生じる画像の濃度差がほとんどなくなるので、印画紙７１上に高画質の画像を形成することができる。
【０１１７】
また、印画紙７１の先端部からの距離Ｌが導出されると、第１ＬＵＴ２２に記憶された補正テーブルに基づいて、印画紙７１の先端部から距離Ｌだけ離隔した領域ＸＬに形成される画像についての発色濃度の補正値ＭＬが導出される。そして、その補正値ＭＬを利用することによって、領域ＸＬの露光量が導出される。従って、露光部３０において偶数番目または奇数番目に露光処理が施される印画紙７１上の領域ＸＬの露光量を速やかに導出することができる。
【０１１８】
以上、本発明の好適な実施の形態について説明したが、本発明は上述の実施の形態に限られるものではなく、特許請求の範囲に記載した限りにおいて、様々な設計変更を行うことが可能なものである。例えば、上述の第１の実施の形態では、印画紙７１上の各領域の露光量が、印画紙７１の先端部近傍にある領域Ｘ０に形成される画像の発色濃度を基準として、潜像時間の差に起因して生じる画像の濃度差がほとんどなくなるように補正される場合について説明しているが、これには限られない。従って、印画紙７１上の各領域の露光量が、印画紙７１上のいずれの領域に形成される画像の発色濃度を基準として補正されてもよい。また、印画紙７１上の各領域の露光量が、潜像時間の差に起因して生じる画像の濃度差がほとんどなくなるように補正される場合の他、潜像時間の差に起因して生じる画像の濃度差が小さくなるように補正されてもよい。
【０１１９】
これと同様に、第２の実施の形態では、露光部３０において偶数番目および奇数番目に露光処理が施される印画紙７１上の各領域の露光量が、露光部３０において偶数番目に露光処理が施される印画紙７１の先端部近傍にある領域Ｘ０’に形成される画像の発色濃度を基準として、潜像時間の差に起因して生じる画像の濃度差がほとんどなくなるように補正される場合について説明しているが、これには限られない。従って、露光部３０において偶数番目および奇数番目に露光処理が施される印画紙７１上の各領域の露光量が、露光部３０において偶数番目に露光処理が施される印画紙７１上の領域Ｘ０以外の領域に形成される画像の発色濃度を基準として補正されてもよいし、露光部３０において奇数番目に露光処理が施される印画紙７１上のいずれの領域に形成される画像の発色濃度を基準として補正されてもよい。
【０１２０】
また、上述の第１の実施の形態では、印画紙７１の先端部からの距離が異なることによって印画紙７１上の各領域にそれぞれ形成される画像の潜像時間が同じにならない場合について、上述の第２の実施の形態では、印画紙７１の先端部からの距離が異なることおよび印画紙７１の搬送経路が異なることによって印画紙７１上の各領域にそれぞれ形成される画像の潜像時間が同じにならない場合について説明しているが、印画紙７１上の各領域にそれぞれ形成される画像の潜像時間がその他の理由で異なる場合であっても、本発明の効果を得ることができる。
【０１２１】
また、上述の第１および第２の実施の形態では、印画紙７１上の各領域にそれぞれ形成される画像の潜像時間が長くなるにつれて印画紙７１に形成される画像の発色濃度が濃くなる場合について説明しているが、これには限られない。従って、印画紙７１の種類によっては、印画紙７１上の各領域にそれぞれ形成される画像の潜像時間が長くなるにつれて印画紙７１に形成される画像の発色濃度が淡くなる場合であっても、本発明の効果を得ることができる。
【０１２２】
また、上述の第１および第２の実施の形態では、露光部３０での印画紙７１の搬送速度Ｖ１が現像部４０での印画紙７１の搬送速度Ｖ２よりも大きい場合について説明しているが、露光部３０での印画紙７１の搬送速度Ｖ１が現像部４０での印画紙７１の搬送速度Ｖ２よりも小さい場合であっても、本発明の効果を得ることができる。
【０１２３】
また、上述の第１の実施の形態では、印画紙７１上の各領域の露光量が、１列で搬送される複数の印画紙７１のそれぞれに形成される画像についてだけ潜像時間の差に起因して生じる画像の濃度差がなくなるように補正されて、異なる印画紙７１上に形成される画像については、潜像時間の差に起因して生じる画像の濃度差がなくなるように補正されていない。ここで、複数の印画紙７１が１列で搬送される場合であっても、例えば露光処理済みの印画紙７１が現像部４０に供給される前に露光部３０において待機させる必要がある場合、露光処理済みの印画紙７１が一定速度で搬送されて現像部４０に供給すされない場合などには、異なる複数の印画紙７１に形成される画像の潜像時間が異なることがある。このような場合には、上述の第２の実施の形態と同様に、１列で搬送される複数の印画紙７１のそれぞれに形成される画像について補正するだけでなく、異なる印画紙７１上に形成される画像についても補正することによって、第２の実施の形態と同様の効果を得ることができる。
【０１２４】
また、上述の第１および第２の実施の形態では、印画紙７１の先端部からの距離Ｌが導出されると、第１ＬＵＴ２２に記憶された補正テーブルに基づいて、印画紙７１の先端部から距離Ｌだけ離隔した領域ＸＬに形成される画像についての発色濃度の補正値ＭＬが導出される場合について説明しているが、これには限られない。従って、制御部２０には補正テーブルを記憶する第１ＬＵＴ２２が形成されていないで、印画紙７１の先端部からの距離Ｌが異なる各領域ごとに、領域Ｘ０に形成される画像の潜像時間との差ＤＴＬの導出、領域Ｘ０に形成される画像の発色濃度との差ＮＬの導出が行われて、領域ＸＬに形成される画像についての発色濃度の補正値ＭＬが導出されてもよい。
【０１２５】
また、上述の第２の実施の形態では、複数の印画紙７１が露光部３０では１列で搬送されて現像部４０では２列で搬送される写真処理装置について説明しているが、複数の印画紙７１が露光部３０では１列で搬送されて現像部４０では３列以上で搬送される写真処理装置でも、第２の実施の形態と同様の効果を得ることができる。
【図面の簡単な説明】
【０１２６】
【図１】本発明の第１の実施の形態に係る写真処理装置の概略構成を示す図である。
【図２】図１の写真処理装置の露光部および現像部における複数の印画紙の搬送の様子を示す図である。
【図３】図１の写真処理装置における露光処理の動作手順を示すフローチャートである。
【図４】印画紙の先端部からの距離と領域との関係を示す図である。
【図５】印画紙の先端部からの距離と潜像時間の差との関係を表す図である。
【図６】潜像時間の差と発色濃度の差との関係を表す図である。
【図７】印画紙の発色特性を示す図である。
【図８】制御部とそれに接続された機器についてのブロック図である。
【図９】本発明の第２の実施の形態の写真処理装置におけるペーパー振分部の動作を説明する図である。
【図１０】本発明の第２の実施の形態の写真処理装置における露光処理の動作手順を示すフローチャートである。
【図１１】印画紙の先端部からの距離と領域との関係を示す図である。
【図１２】印画紙の先端部からの距離と潜像時間の差との関係を表す図である。
【図１３】潜像時間の差と発色濃度の差との関係を表す図である。
【図１４】印画紙の発色特性を示す図である。
【符号の説明】
【０１２７】
１  写真処理装置
１０  スキャナ部
２０  制御部
２１  距離導出部
２２  第１ＬＵＴ
２３  第２ＬＵＴ
２４  露光量導出部
２５  露光制御部
３０  露光部
４０、１４０  現像部
５０  仕上げ処理部
６０  インターフェイス部
７１  印画紙
８０  ペーパー振分部
【図１】
2005081692.tif 000006
【図２】
2005081692.tif 000007
【図３】
2005081692.tif 000008
【図４】
2005081692.tif 000009
【図５】
2005081692.tif 000010
【図６】
2005081692.tif 000011
【図７】
2005081692.tif 000012
【図８】
2005081692.tif 000013
【図９】
2005081692.tif 000014
【図１０】
2005081692.tif 000015
【図１１】
2005081692.tif 000016
【図１２】
2005081692.tif 000017
【図１３】
2005081692.tif 000018
【図１４】
2005081692.tif 000019